(57)【要約】【課題】  筐体側面の形成されたキーを押下する際に、側面に形成されているキーがどのような機能のキーであるかをユーザに報知する。【解決手段】  ヒンジ部を介して開閉可能な折畳式の通信装置であり、前記通信装置は、筐体を閉じた状態で外部に露出するキーを有し、前記通信装置を閉じた状態で前記キーの操作があると、前記キーの機能情報を音声で報知することを特徴とする。【選択図】      図３
2005269167.tif 000002
【特許請求の範囲】
【請求項１】
ヒンジ部を介して開閉可能な折畳式の通信装置であり、
前記通信装置は、筐体を閉じた状態で外部に露出するキーを有し、
前記通信装置を閉じた状態で前記キーの操作があると、前記キーの機能情報を音声で
報知することを特徴とする通信装置。
【請求項２】
ヒンジ部を介して開閉可能な折畳式の通信装置であり、
前記通信装置は、筐体を閉じた状態で外部に露出するキーを有し、
前記通信装置を閉じた状態で前記キーが所定時間未満の間押下されると、前記キーの機能情報を音声で報知し、前記キーが所定時間以上連続して押下されると、前記キーに対応する機能を実行することを特徴とする通信装置。
【請求項３】
ヒンジ部を介して開閉可能な折畳式の通信装置であり、
前記通信装置は、筐体の側面に配設され、筐体を閉じた状態で外部に露出するキーを有し、
前記通信装置を閉じた状態で前記キーの操作があると、前記キーの機能情報を音声で
報知することを特徴とする通信装置。
【請求項４】
ヒンジ部を介して開閉可能な折畳式の通信装置であり、
前記通信装置は、筐体の側面に配設され、筐体を閉じた状態で外部に露出するキーを有し、
前記通信装置を閉じた状態で前記キーが所定時間未満の間押下されると、前記キーの機能情報を音声で報知し、前記キーが所定時間以上連続して押下されると、前記キーに対応する機能を実行することを特徴とする通信装置。
【請求項５】
ヒンジ部を介して開閉可能な折畳式の通信装置であり、
前記通信装置は、筐体を閉じた状態で外部に露出するキーと、該キーに対応する振  動パターンを記憶するメモリと、制御部とを有し、
前記制御部は、前記通信装置を閉じた状態で前記キーの操作があると判定すると、前記メモリに記憶されている、押下されたキーに対応する振動パターンに基づいて、筐体且つ／又は前記キーを振動するように制御することを特徴とする通信装置。
【請求項６】
ヒンジ部を介して開閉可能な折畳式の通信装置であり、
前記通信装置は、筐体を閉じた状態で外部に露出するキーと、該キーに対応する振  動パターンを記憶するメモリと、制御部とを有し、
前記制御部は、前記通信装置を閉じた状態で前記通信装置を閉じた状態で前記キーが所定時間未満の間押下されたと判定すると、前記メモリに記憶されている、押下されたキーに対応する振動パターンに基づいて、筐体を振動するように制御し、前記キーが所定時間以上連続して押下されたと判定すると、前記キーに対応する機能を実行するように制御することを特徴とする通信装置。
【請求項７】
ヒンジ部を介して開閉可能な折畳式の通信装置であり、
前記通信装置は、筐体の側面に配され筐体を閉じた状態で外部に露出するキーと、  該キーに対応する振動パターンを記憶するメモリと、制御部とを有し、
前記制御部は、前記通信装置を閉じた状態で前記キーの操作があると判定すると、前記メモリに記憶されている、押下されたキーに対応する振動パターンに基づいて、筐体を振動するように制御することを特徴とする通信装置。
【請求項８】
ヒンジ部を介して開閉可能な折畳式の通信装置であり、
前記通信装置は、筐体の側面に配され筐体を閉じた状態で外部に露出するキーと、  該キーに対応する振動パターンを記憶するメモリと、制御部とを有し、
前記制御部は、前記通信装置を閉じた状態で前記通信装置を閉じた状態で前記キーが所定時間未満の間押下されたと判定すると、前記メモリに記憶されている、押下されたキーに対応する振動パターンに基づいて、筐体且つ／又は前記キーを振動するように制御し、前記キーが所定時間以上連続して押下されたと判定すると、前記キーに対応する機能を実行するように制御することを特徴とする通信装置。
【発明の詳細な説明】
【技術分野】
【０００１】
本発明は、折畳式携帯電話等の通信装置に関する。
【背景技術】
【０００２】
近年では、折畳式の携帯電話装置が数多く商品化されている。例えば特許文献１に記載されている折畳式の携帯電話は、例えば図５に記載されているように、本体ケース１と蓋体ケース２がヒンジ機構３を介して開閉可能に接続されており、更に、前記本体ケース１の側面には、キー１４が配置されている。
【特許文献１】特開２００１−２１１２４１号公報
【発明の開示】
【発明が解決しようとする課題】
【０００３】
図５に記載されている携帯電話装置では、蓋体ケース２の厚さが薄い為にキー１４の機能表示をする為の印刷領域を確保するのが困難であり、仮に印刷可能であるとしても文字が小さくなりユーザは文字を見て即座にどのような機能であるか認識することができないといった問題が生じる。
【０００４】
このような携帯電話装置では、筐体を開いた状態では、ユーザが側面のキーを押下すると、そのキーに対応する機能を実行して、メインディスプレイに機能の実行画面を表示することが可能であるが、筐体を閉じた状態では、メインディスプレイが外部に露出していない為にユーザはメインディスプレイを見ることができない。又、筐体を閉じた状態でも外部から見ることが可能なサブディスプレイを搭載していても、そのサブディスプレイの表示領域が狭い為に、機能の実行画面や、押下したキーの機能名等を表示できない場合がある。
【課題を解決するための手段】
【０００５】
請求項１記載の発明は、ヒンジ部を介して開閉可能な折畳式の通信装置であり、前記通信装置は、筐体を閉じた状態で外部に露出するキーを有し、前記通信装置を閉じた状態で前記キーの操作があると、前記キーの機能情報を音声で報知することを特徴とする。
請求項２記載の発明は、ヒンジ部を介して開閉可能な折畳式の通信装置であり、前記通信装置は、筐体を閉じた状態で外部に露出するキーを有し、前記通信装置を閉じた状態で前記キーが所定時間未満の間押下されると、前記キーの機能情報を音声で報知し、前記キーが所定時間以上連続して押下されると、前記キーに対応する機能を実行することを特徴とする。
請求項３記載の発明は、ヒンジ部を介して開閉可能な折畳式の通信装置であり、前記通信装置は、筐体の側面に配設され、筐体を閉じた状態で外部に露出するキーを有し、前記通信装置を閉じた状態で前記キーの操作があると、前記キーの機能情報を音声で報知することを特徴とする。
請求項４記載の発明は、ヒンジ部を介して開閉可能な折畳式の通信装置であり、前記通信装置は、筐体の側面に配設され、筐体を閉じた状態で外部に露出するキーを有し、前記通信装置を閉じた状態で前記キーが所定時間未満の間押下されると、前記キーの機能情報を音声で報知し、前記キーが所定時間以上連続して押下されると、前記キーに対応する機能を実行することを特徴とする。
請求項５記載の発明は、ヒンジ部を介して開閉可能な折畳式の通信装置であり、前記通信装置は、筐体を閉じた状態で外部に露出するキーと、該キーに対応する振動パターンを記憶するメモリと、制御部とを有し、前記制御部は、前記通信装置を閉じた状態で前記キーの操作があると判定すると、前記メモリに記憶されている、押下されたキーに対応する振動パターンに基づいて、筐体且つ／又は前記キーを振動するように制御することを特徴とする。
請求項６記載の発明は、ヒンジ部を介して開閉可能な折畳式の通信装置であり、前記通信装置は、筐体を閉じた状態で外部に露出するキーと、該キーに対応する振動パターンを記憶するメモリと、制御部とを有し、前記制御部は、前記通信装置を閉じた状態で前記通信装置を閉じた状態で前記キーが所定時間未満の間押下されたと判定すると、前記メモリに記憶されている、押下されたキーに対応する振動パターンに基づいて、筐体を振動するように制御し、前記キーが所定時間以上連続して押下されたと判定すると、前記キーに対応する機能を実行するように制御することを特徴とする。
請求項７記載の発明は、ヒンジ部を介して開閉可能な折畳式の通信装置であり、前記通信装置は、筐体の側面に配され筐体を閉じた状態で外部に露出するキーと、該キーに対応する振動パターンを記憶するメモリと、制御部とを有し、前記制御部は、前記通信装置を閉じた状態で前記キーの操作があると判定すると、前記メモリに記憶されている、押下されたキーに対応する振動パターンに基づいて、筐体を振動するように制御することを特徴とする。
請求項８記載の発明は、ヒンジ部を介して開閉可能な折畳式の通信装置であり、前記通信装置は、筐体の側面に配され筐体を閉じた状態で外部に露出するキーと、該キーに対応する振動パターンを記憶するメモリと、制御部とを有し、前記制御部は、前記通信装置を閉じた状態で前記通信装置を閉じた状態で前記キーが所定時間未満の間押下されたと判定すると、前記メモリに記憶されている、押下されたキーに対応する振動パターンに基づいて、筐体且つ／又は前記キーを振動するように制御し、前記キーが所定時間以上連続して押下されたと判定すると、前記キーに対応する機能を実行するように制御することを特徴とする。
【発明の効果】
【０００６】
本願発明は、筐体を閉じた状態で側面のキーが押下されると、押下されたキーに対応する機能名を音声で報知する為、サブディスプレイの表示領域が小さい携帯電話装置や、サブディスプレイを有さない携帯電話装置でも、ユーザはキー押下時に直ちにキーの機能名を認識することが可能である。又、キーが所定時間以上連続して押下されると、キーの機能を実行する為、ユーザはキーの機能を認識後に直ちにキーの機能を実行させることが可能である。
【０００７】
又、キーと該キーに対応する振動情報（振動するパターンの情報）をメモリに記憶しており、キー押下時に該キーに対応するパターンで振動させることにより、ユーザがどのキーを押下しているかを認識することが可能である。
【発明を実施するための最良の形態】
【０００８】
次に、本発明の一実施形態に係る携帯電話装置について、図面を参照して説明する。
【０００９】
図１及び図２は、本発明を適用してなる実施例装置（折畳式携帯電話装置）の斜視図である。
【００１０】
図１において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１１】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００１２】
図２は、図１に示す携帯電話装置１０の背面から見た斜視図であり、第２筐体１２０にアンテナ２と着信ランプ５７が搭載されている。
【００１３】
図３に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００１４】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１５】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００１６】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００１７】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００１８】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００１９】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ３８と接続されており、ＲＯＭ３８に格納されているシステムプログラムに基づき各部を制御し、内部に所定の時間を計時するタイマ（図示せず）を搭載している。
【００２０】
また、制御回路３６は、ＲＡＭ４０と接続されている。このＲＡＭ４０には、キーの名称情報と、該名称に対応する音声メッセージ情報が格納されている。この情報は、筐体が閉じた状態で側面のキー５８が押下された際に、キー５８の機能名称を音声で報知する際に使用される。
【００２１】
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００２２】
また、制御回路３６には、入力部４４が接続されている。この入力部４４は、電話番号等の入力を行うテンキー４８と、通話の開始を操作する通話キー５０と、通話の終了を操作する切キー５２と、電子メール機能やインターネット機能などの各種機能の設定を行う機能キー５４と、を有している。
【００２３】
バイブレータ５６は、振動により着信を報知する為のバイブレータである。
【００２４】
着信ランプ５７は、着信時に、着信を報知する為に点灯或いは点滅する。
【００２５】
更に、開閉検出部５５を有しており、前記開閉検出部５５は、筐体の開閉を検出する。
【００２６】
次に、本実施形態に係る携帯電話装置１０の作用について、図４に示すフローチャートに基づいて説明する。
【００２７】
先ず、Ｓ１ステップにおいて、制御回路３６は、側面キー５８の操作があると判定すると、Ｓ２ステップへ処理を進める。
【００２８】
Ｓ２ステップにおいて、制御回路３６は、制御回路３６内部に搭載されているタイマ（図示せず）による計時を開始させ、Ｓ３ステップへ処理を進める。尚、前記タイマは、側面キー５８が連続押下された時間を計時するためのタイマである。
【００２９】
Ｓ３ステップにおいて、制御回路３６は、開閉検出部５７から筐体が開いた状態であることを示す信号を検出するとＳ５ステップへ処理を進め、閉じた状態であることを示す信号を検出するとＳ４ステップへ処理を進める。
【００３０】
Ｓ４ステップにおいて、制御回路３６は、メインディスプレイに、前記Ｓ１ステップで押下されたキーの機能名（例えば、マナーモードの設定）を表示し、処理を終了する。
【００３１】
Ｓ５ステップにおいて、制御回路３６は、前記Ｓ１ステップで押下されたキーに対応する機能名を音声で案内させる。具体的には、制御回路は、側面キー５８が押下されたと判定すると、前記キー５８に対応する音声メッセージ（例えば、「このキーはマナーモード設定用キーです」）をＲＯＭ３８から読取、スピーカ３４から出力させる。
【００３２】
続くＳ６ステップでは、制御回路３６は、前記Ｓ２ステップから計時しているタイマが、キー５８の連続押下を３秒以上計時したと判定するとＳ７ステップへ処理を進め、そうでなければＳ８ステップへ処理を進める。
【００３３】
Ｓ７ステップでは、制御回路３６は、押下されたキー５８に対応する機能（例えば、マナーモードのオン、オフ）を実行すると共にタイマをクリアし、処理を終了する。
【００３４】
Ｓ８ステップでは、制御回路３６は、側面キー５８の押下が終了したと判定する（キー５８から指が離れたと判定する）と、タイマをクリアし、Ｓ１ステップへ処理を戻す。
【００３５】
一方、側面キー５８がまだ連続して押下されていると判定すると、Ｓ６ステップへ処理を戻す。
【００３６】
尚、本実施例では、Ｓ５ステップで、押下されたキーに対応する機能名を音声メッセージにて報知したが、バイブレータを駆動することにより、機能を報知する構成としても良い。例えば、バイブレータが１秒周期でオンオフを繰り返すのであれば、マナーモードであることを示し、連続して振動するのであれば、他のキー（例えば、応答メッセージの録音等）であること示すように構成しても良い。
【図面の簡単な説明】
【００３７】
【図１】本発明を適用してなる実施例装置の斜視図である。
【図２】本発明を適用してなる実施例装置の斜視図である。
【図３】本実施例装置のブロック図である。
【図４】本実施例装置の動作を説明する為のフロー図である。
【図５】従来の携帯電話装置である。
【符号の説明】
【００３８】
３６      制御回路
３８      ＲＯＭ
４２      ディスプレイ
５５      開閉検出部
５６      バイブレータ
５７      側面キー
【図１】
2005269167.tif 000003
【図２】
2005269167.tif 000004
【図３】
2005269167.tif 000005
【図４】
2005269167.tif 000006
【図５】
2005269167.tif 000007